(57)【要約】    【課題】  販売会社側（主監視装置側）および顧客側（画像形成装置側）の双方に余分な作業負担を掛けることなく、画像形成装置のシステムへの参加を容易にすることができる画像形成装置監視システムを提供する。    【解決手段】  画像形成装置監視システムは、監視センタホスト１０１から直接画像形成装置を遠隔監視する第１の監視形態と監視センタホスト１０１から拠点集中監視装置１０７，１１５，１１６を介して画像形成装置を遠隔監視する第２の監視形態とのいずれかを用いる。監視センタホスト１０１は、画像形成装置からの監視登録要求に含まれるデバイスＩＤに基づいて画像形成装置を監視対象として登録することを許可すると、監視登録要求に含まれる検索結果リストに基づいて画像形成装置と接続可能な拠点集中監視装置を選定し、この選定結果に基づいて画像形成装置に対する監視形態を第１の監視形態とするか第２の監視形態とするかを決定する。【選択図】      図１
2005354516.tif 000002
【特許請求の範囲】
【請求項１】
主監視装置から通信回線を介して直接画像形成装置を遠隔監視する第１の監視形態と前記主監視装置から前記通信回線および拠点集中監視装置を介して前記画像形成装置を遠隔監視する第２の監視形態とのいずれかを用いて前記画像形成装置を監視する画像形成装置監視システムであって、
前記画像形成装置は、該画像形成装置に接続される拠点集中監視装置となる候補装置を検索する候補装置検索手段と、システム参加が設定されている場合、該画像形成装置の装置識別情報および前記候補装置の検索結果を含む監視登録要求を前記主監視装置に対して送信する監視登録要求送信手段とを有し、
前記主監視装置は、前記画像形成装置からの監視登録要求を受信すると、該監視登録要求に含まれる装置識別情報に基づいて前記画像形成装置を監視対象として登録することを許可するか否かを判定する判定手段と、前記画像形成装置を監視対象として登録することが許可された場合、前記監視登録要求に含まれる検索結果に基づいて前記画像形成装置と接続可能な拠点集中監視装置を選定する拠点集中監視装置選定手段と、前記拠点集中監視装置選定手段の選定結果に基づいて前記画像形成装置に対する監視形態を前記第１の監視形態とするか前記第２の監視形態とするかを決定する監視形態決定手段と、前記監視形態決定手段により決定された監視形態に応じた動作を行うように前記画像形成装置に対して指示する動作指示手段とを有することを特徴とする画像形成装置監視システム。
【請求項２】
前記主監視装置の前記監視形態決定手段は、前記拠点集中監視装置選定手段により前記登録された画像形成装置と接続可能な拠点集中監視装置を選定することができなかった場合、前記監視形態を前記第１の監視形態とし、前記拠点集中監視装置選定手段により前記登録された画像形成装置と接続可能な拠点集中監視装置が選定することができた場合、前記監視形態を前記第２の監視形態とすることを特徴とする請求項１記載の画像形成装置監視システム。
【請求項３】
前記主監視装置の前記動作設定指示手段は、前記監視形態として前記第１の監視形態が決定された場合、前記主監視装置からの動作指示に従い動作を行うように前記画像形成装置に対して指示し、前記監視形態として前記第２の監視形態が決定された場合、前記選定された拠点集中監視装置からの動作指示に従って動作を行うように指示することを特徴とする請求項１記載の画像形成装置監視システム。
【請求項４】
前記監視形態として前記第１の監視形態が決定された場合、前記主監視装置は、前記画像形成装置に対して、該画像形成装置の状態情報を直接前記主監視装置へ送信するように指示し、前記監視形態として前記第２の監視形態が決定された場合、前記選定された拠点集中監視装置は、前記画像形成装置に対して、該画像形成装置の状態情報を該選定された拠点集中監視装置へ送信するように指示することを特徴とする請求項３記載の画像形成装置監視システム。
【請求項５】
前記主監視装置は、前記監視対象として登録が許可された画像形成装置に対して該画像形成装置の装置情報を要求し、該要求に応答して前記該画像形成装置から返された装置情報を用いて該画像形成装置を登録する登録手段と、前記画像形成装置の装置情報を前記選定された拠点集中監視装置へ送信し、該拠点集中監視装置に対して、該画像形成装置の装置情報を用いて前記画像形成装置を登録するように依頼する依頼手段とを有することを特徴とする請求項１記載の画像形成装置監視システム。
【請求項６】
前記主監視装置は、拠点集中監視装置毎の拠点集中監視装置情報を対応付けて保持する拠点集中監視装置情報保持手段を有し、前記拠点集中監視装置選定手段は、前記監視登録要求に含まれる検索結果と前記拠点集中監視装置情報保持手段に保持されている拠点集中監視装置情報とに基づいて前記画像形成装置と接続可能な拠点集中監視装置を選定することを特徴とする請求項１記載の画像形成装置監視システム。
【請求項７】
前記拠点集中監視装置毎の拠点集中監視装置情報には、接続する画像形成装置の台数が含まれ、前記拠点集中監視装置選定手段は、前記画像形成装置と接続可能な拠点集中監視装置として複数の拠点集中監視装置がある場合、各拠点集中監視装置のうち、接続する画像形成装置の台数が少ない拠点集中監視装置を前記画像形成装置と接続可能な拠点集中監視装置として選定することを特徴とする請求項６記載の画像形成装置監視システム。
【請求項８】
前記主監視装置は、画像形成装置毎に割り当てられている装置識別情報を保持する保持手段を有し、前記判定手段は、前記保持手段に保持されている各装置識別情報のうち、前記発行された監視登録要求に含まれる装置識別情報に対応する装置識別情報があるか否かに応じて前記画像形成装置を監視対象として登録することを許可するか否かを判定することを特徴とする請求項１記載の画像形成装置監視システム。
【請求項９】
前記主監視装置は、監視対象とされている画像形成装置およびそれに接続される拠点集中監視装置を特定可能な登録情報を保持する登録情報保持手段と、前記画像形成装置を監視対象として登録することが許可された場合、前記画像形成装置から該画像形成装置の監視に関わる初期監視設定情報を取得する初期監視設定情報取得手段と、前記画像形成装置から取得された初期監視設定情報と前記登録情報保持手段に保持されている登録情報とに基づいて前記画像形成装置に対する監視形態を変更する必要があるか否かを判定し、該判定の結果に応じて前記画像形成装置に対する監視形態を変更する監視形態変更手段とを有することを特徴とする請求項１記載の画像形成装置監視システム。
【請求項１０】
前記監視形態変更手段は、前記画像形成装置に対する現在の拠点集中監視装置を他の拠点集中監視装置へ変更する必要がある場合、現在の拠点集中監視装置に対して前記画像形成装置を監視対象から削除し、前記他の拠点集中監視装置に対して前記画像形成装置を新規の監視対象として追加するように指示するとともに、前記登録情報保持手段の登録情報の更新を行うことを特徴とする請求項９記載の画像形成装置監視システム。
【請求項１１】
前記画像形成装置の前記検索手段は、該画像形成装置が接続される構内ネットワーク内の装置を検索することを特徴とする請求項１記載の画像形成監視システム。
【請求項１２】
前記主監視装置、前記画像形成装置および前記拠点集中監視装置の間の通信には、所定のネットワークプロトコルが用いられることを特徴とする請求項１記載の画像形成装置監視システム。
【請求項１３】
前記主監視装置、前記画像形成装置および前記拠点集中監視装置の間の通信には、電子メールが用いられることを特徴とする請求項１記載の画像形成装置監視システム。
【請求項１４】
主監視装置から通信回線を介して直接画像形成装置を遠隔監視する第１の監視形態と前記主監視装置から通信回線および拠点集中監視装置を介して前記画像形成装置を遠隔監視する第２の監視形態とのいずれかによって前記画像形成装置を監視する画像形成装置監視方法であって、
前記画像形成装置は、該画像形成装置に接続される拠点集中監視装置となる候補装置を検索する候補装置検索工程と、システム参加が設定されている場合、該画像形成装置の装置識別情報および前記候補装置の検索結果を含む監視登録要求を前記主監視装置に対して送信する監視登録要求送信工程とを有し、
前記主監視装置は、前記画像形成装置からの監視登録要求を受信すると、該監視登録要求に含まれる装置識別情報に基づいて前記画像形成装置を監視対象として登録することを許可するか否かを判定する判定工程と、前記画像形成装置を監視対象として登録することが許可された場合、前記監視登録要求に含まれる検索結果に基づいて前記画像形成装置と接続可能な拠点集中監視装置を選定する拠点集中監視装置選定工程と、前記拠点集中監視装置選定手段の選定結果に基づいて前記画像形成装置に対する監視形態を前記第１の監視形態とするか前記第２の監視形態とするかを決定する監視形態決定工程と、前記監視形態決定工程で決定された監視形態に応じた動作を行うように前記画像形成装置に対して指示する動作指示工程とを有することを特徴とする画像形成装置監視方法。
【請求項１５】
主監視装置から通信回線を介して直接装置を遠隔監視する第１の監視形態と前記主監視装置から通信回線および拠点集中監視装置を介して装置を遠隔監視する第２の監視形態とのいずれかの監視形態を用いて装置の監視を行う画像形成装置監視システムへ参加することが可能な画像形成装置であって、
接続される拠点集中監視装置となる候補装置を検索する候補装置検索手段と、
システム参加が設定されている場合、自装置の装置識別情報および前記候補装置の検索結果を含む監視登録要求を前記主監視装置に対して送信する監視登録要求送信手段と、
前記主監視装置により前記監視形態として前記第１の監視形態が用いられることが通知された場合、前記主監視装置からの動作指示に従い動作を行い、前記主監視装置により前記監視形態として前記第２の監視形態が用いられることが通知された場合、前記主監視装置により選定された拠点集中監視装置からの動作に従い動作を行うように設定する動作設定手段とを有することを特徴とする画像形成装置。
【請求項１６】
通信回線を介して直接画像形成装置を遠隔監視する第１の監視形態と通信回線および拠点集中監視装置を介して画像形成装置を遠隔監視する第２の監視形態とのいずれかを用いて画像形成装置の監視を行うための情報処理装置であって、
前記画像形成装置から送信された監視登録要求を受信すると、該監視登録要求に含まれる装置識別情報に基づいて前記画像形成装置を監視対象として登録することを許可するか否かを判定する判定手段と、
前記画像形成装置を監視対象として登録することが許可された場合、前記監視登録要求に含まれる検索結果に基づいて前記画像形成装置と接続可能な拠点集中監視装置を選定する拠点集中監視装置選定手段と、
前記拠点集中監視装置選定手段の選定結果に基づいて前記画像形成装置に対する監視形態を前記第１の監視形態とするか前記第２の監視形態とするかを決定する監視形態決定手段と、
前記監視形態決定手段により決定された監視形態に応じた動作を行うように前記画像形成装置に対して指示する動作指示手段と
を有することを特徴とする情報処理装置。
【請求項１７】
主監視装置から通信回線を介して直接装置を遠隔監視する第１の監視形態と前記主監視装置から通信回線および拠点集中監視装置を介して装置を遠隔監視する第２の監視形態とのいずれかの監視形態を用いて装置の監視を行う画像形成装置監視システムへ画像形成装置が参加することを可能にすべく、該画像形成装置により実行されるプログラムであって、
接続される拠点集中監視装置となる候補装置を検索する候補装置検索モジュールと、
システム参加が設定されている場合、自装置の装置識別情報および前記候補装置の検索結果を含む監視登録要求を前記主監視装置に対して送信する監視登録要求送信モジュールと、
前記主監視装置により前記監視形態として前記第１の監視形態が用いられることが通知された場合、前記主監視装置からの動作指示に従い動作を行い、前記主監視装置により前記監視形態として前記第２の監視形態が用いられることが通知された場合、前記主監視装置により選定された拠点集中監視装置からの動作に従い動作を行うように設定する動作設定モジュールとを有することを特徴とするプログラム。
【請求項１８】
通信回線を介して直接画像形成装置を遠隔監視する第１の監視形態と通信回線および拠点集中監視装置を介して画像形成装置を遠隔監視する第２の監視形態とのいずれかを用いて画像形成装置の監視を情報処理装置に行わせるべく、該情報処理装置により実行されるプログラムであって、
前記画像形成装置から送信された監視登録要求を受信すると、該監視登録要求に含まれる装置識別情報に基づいて前記画像形成装置を監視対象として登録することを許可するか否かを判定する判定モジュールと、
前記画像形成装置を監視対象として登録することが許可された場合、前記監視登録要求に含まれる検索結果に基づいて前記画像形成装置と接続可能な拠点集中監視装置を選定する拠点集中監視装置選定モジュールと、
前記拠点集中監視装置選定モジュールの選定結果に基づいて前記画像形成装置に対する監視形態を前記第１の監視形態とするか前記第２の監視形態とするかを決定する監視形態決定モジュールと、
前記監視形態決定モジュールにより決定された監視形態に応じた動作を行うように前記画像形成装置に対して指示する動作指示モジュールと
を有することを特徴とするプログラム。
【請求項１９】
請求項１７記載のプログラムをコンピュータ読み取り可能に格納したことを特徴とする記憶媒体。
【請求項２０】
請求項１８記載のプログラムをコンピュータ読み取り可能に格納したことを特徴とする記憶媒体。
【発明の詳細な説明】
【技術分野】
【０００１】
本発明は、主監視装置から通信回線を介して直接画像形成装置を遠隔監視する第１の監視形態と前記主監視装置から通信回線および拠点集中監視装置を介して画像形成装置を遠隔監視する第２の監視形態とのいずれかを用いて画像形成装置を監視する画像形成装置監視システム、画像形成装置監視方法、画像形成装置、情報処理装置、プログラムおよび記憶媒体に関する。
【背景技術】
【０００２】
従来、画像形成装置監視システムにおいて、監視対象とする画像形成装置の監視システムへの登録には、以下のような方法が用いられている。
【０００３】
まず、一つの方法として、顧客の環境を取材し、監視センタホスト側（販売会社側）に顧客ネットワーク環境、画像形成装置個別の情報を予め登録する方法が採用されている。この場合、画像形成装置設置時に、予め監視センタホスト側に登録されている情報に基づいて監視処理が開始される。
【０００４】
また、別の方法として、監視対象となる画像形成装置の設置時に、画像形成装置に関するネットワーク設定（例えばIPアドレス）および画像形成装置固有の情報（例えばデバイス名称）を、画像形成装置側から監視センタホスト側に送信することにより監視を開始するようなシステム場合、遠隔監視システムの監視対象とする画像形成装置のみを、予め監視センタホスト側に登録する方法がある（例えば特許文献１を参照）。
【０００５】
また、画像形成装置からの監視要求があった画像形成装置の全てを、監視対象とする方法がある（例えば特許文献２を参照）。
【０００６】
さらに、複数の画像形成装置からの情報をまとめて監視センタホストへ送るような拠点集中監視装置が稼動している場合は、新規監視対象とする画像形成装置が監視センタホストおよび拠点集中監視装置へ事前に登録される。特に１つの拠点において複数の拠点集中監視装置が稼動している場合、新規監視対象とする画像形成装置を監視する拠点集中監視装置をいずれのものにするかを監視センタホストのオペレータが判断する。そして、その結果が画像形成装置の設置や拠点集中監視装置の管理を行うサービスマンに伝えられ、サービスマンにより各装置において設定作業が行われる。
【０００７】
さらに、同一顧客が複数の事業所を持つ場合、各事業所のＬＡＮ同士はルータ等で区切られているため、ある事業所に設置された画像形成装置からは、他事業所の拠点集中監視装置が見えない、すなわち、ある事業所の拠点集中監視装置から別事業所の画像形成装置の監視を行うことができない場合がある。そのため、画像形成装置の設置場所および拠点集中監視装置の設置場所についての情報が重要であり、どの事業所に設置されているかの情報までもが設置前に把握され、監視センタホストへ入力されている。
【特許文献１】特開２００１−０１６３９３号公報
【特許文献２】特開平０６−３１５０５９号公報
【発明の開示】
【発明が解決しようとする課題】
【０００８】
上述した従来例においては、デバイス設置時点には、そのデバイスを遠隔監視システムの監視対象とするか否かを決定する必要がある。よって、顧客がデバイス購入時点では遠隔監視を希望せず、稼動後に改めて遠隔監視システムへの参加を希望した場合、顧客先でのサービスマンの調査、および監視センタホスト側でのオペレータによる登録作業が必要になる。
【０００９】
また、従来例の画像形成装置側から監視要求を行う場合にも、監視センタホスト側でのオペレータによる登録作業が必要である。
【００１０】
また、従来例の監視要求があった画像形成装置を全て監視対象とする場合において、監視システムが提供するサービスを有料とする場合、画像形成装置の転売等により現在使用している顧客へ課金を行うことができない場合がある。さらに、画像形成装置が悪意を持って改造された場合には、監視センタホストに保持されている顧客の情報の改竄、漏洩の危険、および監視センタホストへ異常データを送りつけることにより、監視システムの正常稼動が阻害される恐れが生じる。
【００１１】
また、拠点集中監視装置が稼動している環境へ、新規監視対象とする画像形成装置を設置する場合には、どの拠点集中監視装置を経由すべきか、人為的に判断した上で、監視センタホストおよびそのデバイスを監視するように選択された拠点集中監視装置および新規設置する画像形成装置に対して、人手を介した作業が必要になる。
【００１２】
さらに、画像形成装置自身が監視センタホストに直接情報を送信する機能を有するようになり、そのような画像形成装置を拠点集中監視装置の稼動している環境、稼動していない環境の区別無く、同じ方法で設置可能とし、さらに監視センタホストが直接監視すべきかまたはいずれかの拠点集中監視装置を経由して監視すべきかの判断を、人手を介せずに行うことが求められている。
【００１３】
さらに、同一顧客が複数の事業所を持つ場合、ホストへの情報入力が煩雑であり、入力ミスなどの人為的ミスが発生し易い。また、画像形成装置の購買行為自体は会社単位で行われるケースも多いが、どの画像形成装置をどの事業所に設置するかを事前に決定する必要がある。そのため、例えば、複数の事業所を持つある顧客が複数台の画像形成装置を購入したが、各画像形成装置の納入時期にばらつきが生じたような場合、通常考えられる、任意に画像形成装置の配布先事業所を変更するという作業は、監視システムの監視センタホストに事前登録された情報との整合性がとれなくなるため、許可されない。また、事業所の追加、統廃合、名称変更などが行われた場合には、少なくとも監視センタホストに登録されている情報は、手作業で変更する必要がある。また、顧客が画像形成装置を事業所間で移動して使用する場合にも、顧客から見て部外者である監視システムの運営会社に連絡し、設定変更などを実施してもらう必要があり、画像形成装置を稼動させる場合の自由度が少ない。
【００１４】
本発明の目的は、販売会社側（主監視装置側）および顧客側（画像形成装置側）の双方に余分な作業負担を掛けることなく、画像形成装置のシステムへの参加を容易にすることができる画像形成装置監視システム、画像形成装置監視方法、画像形成装置、情報処理装置、プログラムおよび記憶媒体を提供することにある。
【課題を解決するための手段】
【００１５】
本発明は、上記目的を達成するため、主監視装置から通信回線を介して直接画像形成装置を遠隔監視する第１の監視形態と前記主監視装置から前記通信回線および拠点集中監視装置を介して前記画像形成装置を遠隔監視する第２の監視形態とのいずれかを用いて前記画像形成装置を監視する画像形成装置監視システムであって、前記画像形成装置は、該画像形成装置に接続される拠点集中監視装置となる候補装置を検索する候補装置検索手段と、システム参加が設定されている場合、該画像形成装置の装置識別情報および前記候補装置の検索結果を含む監視登録要求を前記主監視装置に対して送信する監視登録要求送信手段とを有し、前記主監視装置は、前記画像形成装置からの監視登録要求を受信すると、該監視登録要求に含まれる装置識別情報に基づいて前記画像形成装置を監視対象として登録することを許可するか否かを判定する判定手段と、前記画像形成装置を監視対象として登録することが許可された場合、前記監視登録要求に含まれる検索結果に基づいて前記画像形成装置と接続可能な拠点集中監視装置を選定する拠点集中監視装置選定手段と、前記拠点集中監視装置選定手段の選定結果に基づいて前記画像形成装置に対する監視形態を前記第１の監視形態とするか前記第２の監視形態とするかを決定する監視形態決定手段と、前記監視形態決定手段により決定された監視形態に応じた動作を行うように前記画像形成装置に対して指示する動作指示手段とを有することを特徴とする。
【００１６】
本発明は、上記目的を達成するため、主監視装置から通信回線を介して直接画像形成装置を遠隔監視する第１の監視形態と前記主監視装置から通信回線および拠点集中監視装置を介して前記画像形成装置を遠隔監視する第２の監視形態とのいずれかによって前記画像形成装置を監視する画像形成装置監視方法であって、前記画像形成装置は、該画像形成装置に接続される拠点集中監視装置となる候補装置を検索する候補装置検索工程と、システム参加が設定されている場合、該画像形成装置の装置識別情報および前記候補装置の検索結果を含む監視登録要求を前記主監視装置に対して送信する監視登録要求送信工程とを有し、前記主監視装置は、前記画像形成装置からの監視登録要求を受信すると、該監視登録要求に含まれる装置識別情報に基づいて前記画像形成装置を監視対象として登録することを許可するか否かを判定する判定工程と、前記画像形成装置を監視対象として登録することが許可された場合、前記監視登録要求に含まれる検索結果に基づいて前記画像形成装置と接続可能な拠点集中監視装置を選定する拠点集中監視装置選定工程と、前記拠点集中監視装置選定手段の選定結果に基づいて前記画像形成装置に対する監視形態を前記第１の監視形態とするか前記第２の監視形態とするかを決定する監視形態決定工程と、前記監視形態決定工程で決定された監視形態に応じた動作を行うように前記画像形成装置に対して指示する動作指示工程とを有することを特徴とする。
【００１７】
本発明は、上記目的を達成するため、主監視装置から通信回線を介して直接装置を遠隔監視する第１の監視形態と前記主監視装置から通信回線および拠点集中監視装置を介して装置を遠隔監視する第２の監視形態とのいずれかの監視形態を用いて装置の監視を行う画像形成装置監視システムへ参加することが可能な画像形成装置であって、接続される拠点集中監視装置となる候補装置を検索する候補装置検索手段と、システム参加が設定されている場合、自装置の装置識別情報および前記候補装置の検索結果を含む監視登録要求を前記主監視装置に対して送信する監視登録要求送信手段と、前記主監視装置により前記監視形態として前記第１の監視形態が用いられることが通知された場合、前記主監視装置からの動作指示に従い動作を行い、前記主監視装置により前記監視形態として前記第２の監視形態が用いられることが通知された場合、前記主監視装置により選定された拠点集中監視装置からの動作に従い動作を行うように設定する動作設定手段とを有することを特徴とする。
【００１８】
本発明は、上記目的を達成するため、通信回線を介して直接画像形成装置を遠隔監視する第１の監視形態と通信回線および拠点集中監視装置を介して画像形成装置を遠隔監視する第２の監視形態とのいずれかを用いて画像形成装置の監視を行うための情報処理装置であって、前記画像形成装置から送信された監視登録要求を受信すると、該監視登録要求に含まれる装置識別情報に基づいて前記画像形成装置を監視対象として登録することを許可するか否かを判定する判定手段と、前記画像形成装置を監視対象として登録することが許可された場合、前記監視登録要求に含まれる検索結果に基づいて前記画像形成装置と接続可能な拠点集中監視装置を選定する拠点集中監視装置選定手段と、前記拠点集中監視装置選定手段の選定結果に基づいて前記画像形成装置に対する監視形態を前記第１の監視形態とするか前記第２の監視形態とするかを決定する監視形態決定手段と、前記監視形態決定手段により決定された監視形態に応じた動作を行うように前記画像形成装置に対して指示する動作指示手段とを有することを特徴とする。
【００１９】
本発明は、上記目的を達成するため、主監視装置から通信回線を介して直接装置を遠隔監視する第１の監視形態と前記主監視装置から通信回線および拠点集中監視装置を介して装置を遠隔監視する第２の監視形態とのいずれかの監視形態を用いて装置の監視を行う画像形成装置監視システムへ画像形成装置が参加することを可能にすべく、該画像形成装置により実行されるプログラムであって、接続される拠点集中監視装置となる候補装置を検索する候補装置検索モジュールと、システム参加が設定されている場合、自装置の装置識別情報および前記候補装置の検索結果を含む監視登録要求を前記主監視装置に対して送信する監視登録要求送信モジュールと、前記主監視装置により前記監視形態として前記第１の監視形態が用いられることが通知された場合、前記主監視装置からの動作指示に従い動作を行い、前記主監視装置により前記監視形態として前記第２の監視形態が用いられることが通知された場合、前記主監視装置により選定された拠点集中監視装置からの動作に従い動作を行うように設定する動作設定モジュールとを有することを特徴とする。
【００２０】
本発明は、上記目的を達成するため、通信回線を介して直接画像形成装置を遠隔監視する第１の監視形態と通信回線および拠点集中監視装置を介して画像形成装置を遠隔監視する第２の監視形態とのいずれかを用いて画像形成装置の監視を情報処理装置に行わせるべく、該情報処理装置により実行されるプログラムであって、前記画像形成装置から送信された監視登録要求を受信すると、該監視登録要求に含まれる装置識別情報に基づいて前記画像形成装置を監視対象として登録することを許可するか否かを判定する判定モジュールと、前記画像形成装置を監視対象として登録することが許可された場合、前記監視登録要求に含まれる検索結果に基づいて前記画像形成装置と接続可能な拠点集中監視装置を選定する拠点集中監視装置選定モジュールと、前記拠点集中監視装置選定モジュールの選定結果に基づいて前記画像形成装置に対する監視形態を前記第１の監視形態とするか前記第２の監視形態とするかを決定する監視形態決定モジュールと、前記監視形態決定モジュールにより決定された監視形態に応じた動作を行うように前記画像形成装置に対して指示する動作指示モジュールとを有することを特徴とする。
【００２１】
本発明は、上記目的を達成するため、上記プログラムをコンピュータ読み取り可能に格納したことを特徴とする記憶媒体を提供する。
【発明の効果】
【００２２】
本発明によれば、販売会社側（主監視装置側）および顧客側（画像形成装置側）の双方に余分な作業負担を掛けることなく、画像形成装置のシステムへの参加を容易にすることができる。
【発明を実施するための最良の形態】
【００２３】
以下、本発明の実施の形態について図面を参照しながら説明する。
【００２４】
（第１の実施の形態）
図１は本発明の第１の実施の形態に係る画像形成装置監視システムの全体構成を模式的に示すブロック図である。
【００２５】
画像形成装置監視システムは、図１に示すように、販売会社と複数の顧客とがインターネットを介して接続され、各顧客が販売会社から購入した画像形成装置を監視するためのシステムである。販売会社には、監視センタホスト１０１と、販売情報や監視システムに関わる情報を蓄積するためのデータベース１０２とが設置され、監視センタホスト１０１とデータベース１０２とは、ＬＡＮ（Local Area Network）１０３を介して接続されている。ここで、データベース１０２は、物理的に監視センタホスト１０１内に存在するものでもよいし、外部設置されているものでもよい。また、データベース１０２は、監視センタホスト１０１からアクセス可能であれば、インターネットを経由した他の場所に存在するものであってもよい。ＬＡＮ１０３は、インターネットに接続可能なように構成されている。
【００２６】
各顧客は、それぞれ異なる環境を有する。例えば顧客であるＡ社の場合、Ａ社は、Ｘ事業所１０４とＹ事業所１０９を有する。Ｘ事業所１０４においては、ＬＡＮ１０８に接続された複数の画像形成装置１０５，１０６が、拠点集中監視装置１０７により監視され、拠点集中監視装置１０７はインターネット経由で監視センタホスト１０１と通信可能である。また、各画像形成装置１０５，１０６は、図示するように、拠点集中監視装置１０７を介してインターネットにアクセス可能であるとともに、直接インターネットへ接続する機能を有する。よって、各画像形成装置１０５，１０６は、それぞれインターネット経由で監視センタホスト１０１と直接通信可能である。
【００２７】
Ｙ事業所１０９においては、ＬＡＮ１１８に複数の画像形成装置１１０，１１１，１１２，１１３，１１４が接続されている。ここで、画像形成装置１１０，１１１，１１２のそれぞれは拠点集中監視装置１１５で監視され、画像形成装置１１３，１１４のそれぞれは、拠点集中監視装置１１６で監視されている。各拠点集中監視装置１１５，１１６は、それぞれインターネット経由で監視センタホスト１０１と通信可能である。また、各画像形成装置１１０，１１１，１１２，１１３，１１４は、図示するように、対応する拠点集中監視装置１１５，１１６を介してインターネットにアクセス可能であるとともに、直接インターネットへ接続する機能を有する。よって、各画像形成装置１１０，１１１，１１２，１１３，１１４は、それぞれインターネット経由で監視センタホスト１０１と直接通信可能である。
【００２８】
顧客のＢ社１１９においては、ＬＡＮ１２０に接続された画像形成装置１２１が設置され、画像形成装置１２１は、ＬＡＮ１２０およびインターネット経由で監視センタホスト１０１と通信可能である。ここで、Ｂ社１１９には、拠点集中監視装置は設置されていない。
【００２９】
本実施の形態においては、拠点集中監視装置が稼動しているＡ社Ｙ事業所１０９に画像形成装置１１７が設置されるケース、および、拠点集中監視装置が設置されていないＢ社１１９に画像形成装置１２１が設置されるケースのどちらのケースにも有用な監視方法を説明する。
【００３０】
ここで、拠点集中監視装置１０７，１１５，１１６、および後述の説明で監視センタホスト１０１と直接通信することとなる画像形成装置１２１と、監視センタホスト１０１とのインターネットを介した通信においては、不正アクセスを防ぐためと、ファイアウォールを通過するために、一般的なプロトコル（ＳＭＴＰ）や認証が用いられるものとする。
【００３１】
また、図１中には、販売会社側監視センタホスト１０１およびデータベース１０２が１つずつしか示されていないが、実際には、多くの画像形成装置および拠点集中監視装置からの情報を収集する際の負荷分散を行うために、複数のホスト、データベースが設けられ、これらを用いて分散処理が行われる場合がある。
【００３２】
また、画像形成装置１０５，１０６，１１０，１１１，１１２，１１３，１１４，１１７，１２１としては、具体的には、プリンタおよびファクシミリ機能が統合的に設けられた複合機、ＰＣ（Personal Computer）などからデータを受信して印刷するプリンタ（電子写真方式及びインクジェット方式を含む）、スキャナー、ファクシミリなどが挙げられる。
【００３３】
次に、画像形成装置１０５，１０６，１１０，１１１，１１２，１１３，１１４、１１７，１２１の構成について図２および図３を参照しながら説明する。図２は図１の画像形成装置のハードウェア構成図、図３は図１の画像形成装置における画像形成装置監視システムに関わるソフトウェア構成図である。ここでは、画像形成装置の一例としての複合機の構成を示す。
【００３４】
画像形成装置は、図２に示すように、原稿給送部２０１、原稿を読み込むイメージリーダ２０２、読み込んだ原稿および受信したデータを印刷画像に変換／印刷する画像形成部２０３、印刷した紙を排出し、ソートやステイプルなどのシート処理を施す排紙部２０４、ネットワーク経由でＬＡＮおよびインターネットに接続し、外部と情報交換を行うＮｅｔｗｏｒｋＩ／Ｆ２０５、本装置上の各処理を司るＣＰＵ２０６、本装置の各処理に関わるプログラムやデータを記憶するＲＯＭ２０７、本装置の各処理に関わる一時的なデータを保持するＲＡＭ２０８、本装置の各処理に関わるプログラムやデータ、および一時的なデータ、本装置へ送信されたユーザデータなどを記憶するＨＤＤ（ハードディスク）２０９、本装置への指示入力を受け付ける操作部２１０、本装置の動作状況および操作部２１０に対する操作に関わる情報を表示する表示部２１１などを有する。それらのブロックは、システムバス２１２に接続され、ブロック間においては、システムバス２１２を介して、データのやり取りが行われる。
【００３５】
画像形成装置１０５，１０６，１１０，１１１，１１２，１１３，１１４，１１７，１２１における画像形成装置監視システムに関わるソフトウェア構成に関しては、図３に示すように、ＳＯＡＰ通信部３０１、ＳＯＡＰメッセージ作成部３０２、ＳＯＡＰメッセージ解析部３０３、ネットワーク情報取得部３０４およびデバイス情報収集部３０５が設けられている。ＳＯＡＰ通信部３０１は、監視センタホスト１０１および拠点集中監視装置１０７，１１５，１１６よりＮｅｔｗｏｒｋＩ／Ｆ２０５を介して受信したＳＯＡＰデータをＳＯＡＰメッセージ解析部３０３に渡し、また、ＳＯＡＰメッセージ作成部３０２により作成されたＳＯＡＰデータをＮｅｔｗｏｒｋＩ／Ｆ２０５を介して監視センタホスト１０１および拠点集中監視装置１０７、１１５、１１６に送信する。
【００３６】
ネットワーク情報取得部３０４は、ＤＨＣＰ（Dynamic Host Configuration Protocol）環境においてはＩＰアドレス、ＤＮＳサーバ、ゲートウェイアドレスを自動的に取得することが可能である。また、ネットワーク情報取得部３０４は、操作部２１０（図２に示す）から入力されてＨＤＤ２０９に保存されたネットワーク情報が存在する場合は、その情報を取得する。デバイス情報収集部３０５は、本複合機内部のスケジュールにより、または、監視センタホスト１０１もしくは拠点集中監視装置１０７，１１５，１１６からの指示により内部に保持するカウンタ情報を取得し、また、内部で発生したサービスコールやジャム、トナー切れなどの情報を取得する。この取得したデータは、そのままＳＯＡＰメッセージ作成部３０２に渡され、監視センタホスト１０１または拠点集中監視装置１０７，１１５，１１６へ送信される場合と、デバイス情報収集部３０５内で蓄積、解釈、加工された後に、ＳＯＡＰメッセージ作成部３０２に渡され、監視センタホスト１０１または拠点集中監視装置１０７，１１５，１１６へ送信される場合とがある。
【００３７】
次に、拠点集中監視装置１０７，１１５，１１６の構成について図４および図５を参照しながら説明する。図４は図１の拠点集中監視装置のハードウェア構成図、図５は図１の拠点集中監視装置の画像形成装置監視システムに関わるソフトウェア構成図である。
【００３８】
拠点集中監視装置１０７，１１５，１１６は、図４に示すように、本装置上の各処理を司るＣＰＵ１４０１と、本装置の各処理に関わるプログラムやデータを記憶するＲＯＭ１４０２と、本装置の各処理に関わる一時的なデータを保持するＲＡＭ１４０３と、本装置の各処理に関わるプログラムやデータ、一時的なデータ、本発明に関わる監視対象画像形成装置に関する情報、および画像形成装置から収集した情報などを記憶するＨＤＤ１４０４と、本装置への指示入力を受け付けるキーボードやポインティングデバイスである入力装置１４０５と、本装置の動作状況や本装置上で動作する各プログラムが出力する情報を表示する表示部１４０６と、ネットワーク経由でＬＡＮおよびインターネットに接続し、外部と情報交換を行うＮｅｔｗｏｒｋＩ／Ｆ１４０７とを有する。それらのブロックは、システムバス１４０８に接続され、ブロック間のデータのやり取りがシステムバス１４０８を介して行われる。
【００３９】
拠点集中監視装置１０７、１１５、１１６の画像形成装置監視システムに関わるソフトウェア構成に関しては、図５に示すように、ＳＯＡＰ通信部４０１、ＳＯＡＰ作成部４０２、ＳＯＡＰメッセージ解析部４０３、監視制御部４０４、デバイス情報処理部４０５、および情報蓄積部４０６が設けられている。
【００４０】
ＳＯＡＰ通信部４０１は、監視センタホスト１０１または画像形成装置１０５，１０６，１１０，１１１，１１２，１１３，１１４，１１７，１２１よりＮｅｔｗｏｒｋＩ／Ｆ１４０８を介して受信したＳＯＡＰデータをＳＯＡＰメッセージ解析部３０３に渡し、また、ＳＯＡＰメッセージ作成部３０２により作成されたＳＯＡＰデータをＮｅｔｗｏｒｋＩ／Ｆ１４０８を介して監視センタホスト１０１または画像形成装置１０５，１０６，１１０，１１１，１１２，１１３，１１４，１１７，１２１に送信される。
【００４１】
監視制御部４０４は、後述する監視センタホスト１０１からの監視指示に呼応し、情報蓄積部４０６に蓄積された監視画像形成装置情報を更新し、また画像形成装置１０５，１０６，１１０，１１１，１１２，１１３，１１４，１１７，１２１の情報を取得するためのスケジュール管理を行う。
【００４２】
デバイス情報処理部４０５は、監視制御部４０４により管理するスケジュールにより、監視センタホスト１０１からの指示により、または本装置が積極的に画像形成装置１０５，１０６，１１０，１１１，１１２，１１３，１１４，１１７，１２１から収集したカウンタ情報、サービスコールやジャム、トナー切れなどの情報を、情報蓄積部４０６に蓄積する。
【００４３】
情報蓄積部４０６に蓄積されたデータに関しては、そのデータがそのままデバイス情報処理部４０５を介してＳＯＡＰメッセージ作成部４０２に渡され、監視センタホスト１０１へ送信される場合と、そのデータがデバイス情報処理部４０５内で解釈、加工された後にＳＯＡＰメッセージ作成部４０２に渡され、監視センタホスト１０１へ送信される場合とがある。
【００４４】
次に、監視センタホスト１０１の構成について図６および図７を参照しながら説明する。図６は図１の監視センタホストのハードウェア構成図、図７は図１の監視センタホストの画像形成装置監視システムに関わるソフトウェア構成図である。
【００４５】
監視センタホスト１０１は、図６に示すように、本装置上の各処理を司る第１ＣＰＵ１６０１および第２ＣＰＵ１６０２と、本装置の各処理に関わるプログラムやデータを記憶するＲＯＭ１６０３と、本装置の各処理に関わる一時的なデータを保持するＲＡＭ１６０４、本装置の各処理に関わるプログラムやデータ、一時的なデータ、本発明に関わる監視対象画像形成装置に関する情報、および画像形成装置から収集した情報などを記憶する第１ＨＤＤ１６０５および第２ＨＤＤ１６０６と、本装置への指示入力を受け付けるキーボードやポインティングデバイスである入力装置１６０７と、本装置の動作状況や、本装置上で動作する各プログラムが出力する情報を表示する表示部１６０８と、ネットワーク経由でＬＡＮおよびインターネットに接続し、外部と情報交換を行うＮｅｔｗｏｒｋＩ／Ｆ１６０９とを有する。これらのブロックは、システムバス１６１０に接続され、ブロック間でのデータのやり取りは、システムバス１６１０を介して行われる。
【００４６】
監視センタホスト１０１の画像形成装置監視システムに関わるソフトウェア構成に関しては、図７に示すように、ＳＯＡＰ通信部５０１、ＳＯＡＰメッセージ解析部５０２、ＳＯＡＰメッセージ作成部５０３、収集情報処理部５０４、監視制御部５０５、およびデータベースアクセス部５０６が設けられている。
【００４７】
ＳＯＡＰ通信部５０１は、画像形成装置１０５，１０６，１１０，１１１，１１２，１１３，１１４，１１７，１２１、または拠点集中監視装置１０７，１１５，１１６によりＮｅｔｗｏｒｋＩ／Ｆ１６０９を介して受信したＳＯＡＰデータをＳＯＡＰメッセージ解析部５０２に渡し、また、ＳＯＡＰメッセージ作成部５０３により作成されたＳＯＡＰデータをＮｅｔｗｏｒｋＩ／Ｆ１６０９を介して画像形成装置１０５，１０６，１１０，１１１，１１２，１１３，１１４，１１７，１２１、または拠点集中監視装置１０７，１１５，１１６に送信する。
【００４８】
収集情報処理部５０４は、監視下の画像形成装置１０５，１０６，１１０，１１１，１１２，１１３，１１４，１１７，１２１、または拠点集中監視装置１０７，１１５，１１６から受診した情報をそのまま、または加工し、データベースアクセス部５０６を介してデータベース１０２に格納する。また、収集情報処理部５０４は、監視下の画像形成装置１０５，１０６，１１０，１１１，１１２，１１３，１１４，１１７，１２１、または拠点集中監視装置１０７，１１５，１１６から受診した情報およびデータベース１０２に格納されているデータに基づいて、カウンタ情報の集計、エラー情報を担当サービスマンや顧客側管理者へ通知するなど遠隔監視システムに関わる機能を実現する。
【００４９】
監視制御部５０５は、画像形成装置１０５，１０６，１１０，１１１，１１２，１１３，１１４，１１７，１２１、および拠点集中監視装置１０７，１１５，１１６の情報を取得するためのスケジュール管理や、監視内容、方法の制御を行う。監視制御部５０５は、さらに必要に応じて、監視下の画像形成装置１０５，１０６，１１０，１１１，１１２，１１３，１１４，１１７，１２１、または拠点集中監視装置１０７，１１５，１１６へ、ＳＯＡＰメッセージ作成部５０３、ＳＯＡＰ通信部５０１、ＮｅｔｗｏｒｋＩ／Ｆ１６０９を介して、指示を送信する。
【００５０】
次に、販売会社の画像形成装置の販売から顧客の画像形成装置監視システムへの参加（サービス開始）までの流れについて図８〜図１３を参照しながら説明する。図８は画像形成装置（本図では「デバイス」と呼称する）の販売から画像形成装置監視システムへの参加（サービス開始）までのシーケンスを示す図、図９は図１のデータベースに保持されているデバイス販売情報テーブルの一例を示す図、図１０は図１のデータベースに保持されている画像形成装置監視システム用の拠点集中監視装置情報テーブルの一例を示す図、図１１は図１のデータベースに保持されている画像形成装置監視システム用のデバイス監視情報テーブルを示す図、図１２は図８のステップＳ６０６において画像形成装置が監視センタホストへ送信する監視登録要求情報を示す図、図１３は図１の拠点集中監視装置１１６が保持する監視デバイス情報テーブル１２０１を示す図である。なお、図８は、データの流れに着目して作成されたものであるが、通信プロトコルによっては、図中の各矢印について、実際にはリクエストとそれに対する返信というプロトコル規約に応じた通信が行われる場合もある。また、以下の説明において、デバイスは、画像形成装置を指す用語として使用するものとする。
【００５１】
まずステップＳ６０１において、顧客はデバイスの購入を決定する。これに応じて、販売会社は、ステップＳ６０２において、顧客により購入が決定されたデバイスを一意に識別する情報をデータベース１０２に販売情報として登録する。本実施の形態においては、デバイスを識別する情報として、製造時の識別情報に重ならないように各デバイスに割り振られるデバイスＩＤが使用される。また、デバイスＩＤに代わる情報として、機器のＭＡＣアドレスも使用可能である。この販売情報は、データベース１０２上で、図９に示すデバイス販売情報テーブル７０１により管理される。販売情報は、デバイスを一意に特定するデバイスＩＤとそのデバイスを購入した顧客を一意に特定する顧客ＩＤとを対応付けた情報であり、この情報がテーブル７０１に記載される。このテーブル７０１において、レコード７０２〜７１０は、画像形成装置１０５，１０６，１１０，１１１，１１２，１１３，１１４，１１７，１２１にそれぞれ対応するレコードである。ここで、顧客ＩＤ「００００００００１」はＡ社を、「００００００００２」はＢ社をそれぞれ示すものである。なお、この時点では、顧客が購入したデバイスを、画像形成装置監視システムに参加させるかは未定である。
【００５２】
上記ステップＳ６０２での登録が完了すると、販売会社は、ステップＳ６０３において、デバイスを出荷する。
【００５３】
顧客先には、設置作業者が同行し、設置作業者は、ステップＳ６０４において、デバイスの設置作業を行う。本実施の形態のデバイスすなわち画像形成装置は、ＮｅｔｗｏｒｋＩ／Ｆ２０５を介してＬＡＮやインターネットへ接続し、ＦＡＸデータ、電子メール、印刷データを送受信可能な複合機であるので、デバイスの設置作業（ステップＳ６０４）において、ネットワーク関連の設定を行う必要がある。このネットワーク関連の設定は、操作部２１０からの手作業による入力も可能であるし、顧客のネットワーク環境がＤＨＣＰの環境の場合には、設定を自動的に取得することも可能である。以上の作業により、顧客は、デバイスを使用することが可能になる。
【００５４】
上記ステップＳ６０４以降は、設置したデバイスを画像形成装置監視システムの監視対象とするシーケンスである。なお、詳細の動作は後述のフローチャートでも説明する。
【００５５】
デバイスが画像形成装置監視システムに参加しようとした場合、デバイスは、まずステップＳ６０５において、ＬＡＮ内を検索し、拠点集中監視装置を発見する。この本実施の形態における検索の方法については、図１４のＳ１００２において説明する。また、第２の実施の形態における検索方法については、図２２のＳ２１０１で説明する。なお、この検索方法では、拠点集中監視装置以外の機器の情報が含まれる可能性がある。また、１台も発見されずに拠点集中監視装置のリストは０台のリストとなるケースもある。
【００５６】
そして、デバイスは、ステップＳ６０６において、上記ステップＳ６０５の検索により得られた拠点集中監視装置のリストとデバイス自身のデバイスＩＤから、例えば図１２に示すような監視登録要求情報２４０１を作成し、監視センタホスト１０１に送信する。なお、監視センタホスト１０１のアドレスは、予めデバイス内に保持されている。ここで、図１２に示す管理登録要求情報２４０１は、図１のＡ社Ｙ事業所１０９においてデバイス（画像形成装置）１１７が監視センタホスト１０１に送信するデータの例である。管理登録要求情報２４０１におけるデータ２４０２は、デバイス１１７のデバイスＩＤであり、データ２４０３は、拠点集中監視装置１１５のＩＰアドレス、データ２４０４は拠点集中監視装置１１６のＩＰアドレスである。
【００５７】
監視センタホスト１０１は、ステップＳ６０７において、デバイスから送信されたデバイスＩＤを受信し、このデバイスＩＤがデータベース１０２に保持されている販売情報テーブル（図９）内に存在するか否かを確認する。次いで、監視センタホスト１０１は、ステップＳ６０８において、デバイスからのデバイスＩＤがデバイス監視情報テーブル（図１０）内に既に含まれているか、即ち既に監視対象として登録されているか否かを確認する。そして、監視センタホスト１０１は、ステップＳ６０９において、図１２に示す管理登録要求情報の送信元デバイスを、どの拠点集中監視装置経由で、または拠点集中監視装置を介さずに直接に監視すべきかを判断する。この判断には、データベース１０２に格納されている拠点集中監視情報テーブル（図１０）と、デバイス監視情報テーブル（図１１）と、上記ステップＳ６０６でデバイスから送信された監視登録要求情報（図１２）とが用いられる。
【００５８】
例えば、監視登録要求情報（図１２）により監視登録要求を出したデバイス１１７（デバイスＩＤ＝ＤＤＤＤ８７３５０８）は、拠点集中監視情報テーブル（図１０）から顧客ＩＤ＝００００００００１に販売されていることが分かる。また、ＩＰ＝１２３．５５．２５．９９と１２３．５５．２５．１００の拠点集中監視装置と通信可能であることが分かる。さらに、念のためではあるが、拠点集中監視情報テーブル（図１０）から上記の２つの拠点集中監視装置は、共に顧客ＩＤ＝００００００００１のものあることも確認することができる。また、拠点集中監視情報テーブル（図１０）から、ＩＰ＝１２３．５５．２５．９９は装置ＩＤ＝ＡＢＣＤ１２３４５６、ＩＰ＝１２３．５５．２５．１００は装置ＩＤ＝ＤＤＤＤ８７３５６７の拠点集中監視装置であることが分かる。ここでは、デバイス監視情報テーブル（図１１）のレコード９０９および９１０は、現時点では登録されていないレコードとして説明するが、デバイス監視情報テーブル（図１１）から、装置ＩＤ＝ＡＢＣＤ１２３４５６の拠点集中監視装置は３台、ＩＰ＝１２３．５５．２５．１００の拠点集中監視装置は２台のデバイスを監視対象としていることが分かる。
【００５９】
上記判断の結果に基づいて監視センタホスト１０１は、拠点集中監視装置の負荷分散を図るため、監視台数の少ない方、ここでは装置ＩＤ＝ＤＤＤＤ８７３５６７（ＩＰ＝１２３．５５．２５．１００）の拠点集中監視装置に監視登録要求元のデバイスを監視させることを決定する。
【００６０】
一方、図１のデバイス（画像形成装置）１２１が監視登録要求を行う場合、ステップＳ６０５において発見される拠点集中監視装置は０台でるため、監視センタホスト１０１は、ステップＳ６０９において、拠点集中監視装置を経由しないで監視センタホスト１０１が直接デバイス１２１を監視することを決定する。
【００６１】
次いで、監視センタホスト１０１は、ステップＳ６１０において、上記ステップＳ６０７およびステップＳ６０８の確認結果から、登録可能（図９の販売情報テーブル内に存在し、図１１のデバイス監視情報テーブル内には存在しない）／登録不可（図９の販売情報テーブル内に存在しない）／登録済（図９の販売情報テーブル内に存在し、図１１のデバイス監視情報テーブル内にも存在する）を、上記監視登録要求（ステップＳ６０６）の返信としてデバイスへ送信する。
【００６２】
監視センタホスト１０１から登録可の通知を受けたデバイスは、ステップＳ６１２において、ＩＰアドレス、機種名、ユーザが任意に付けたデバイス名などのデバイス基本情報を監視センタホスト１０１へ送信する。
【００６３】
監視センタホスト１０１は、ステップＳ６１３において、デバイスから送信された情報（ステップＳ６１２）と上記ステップＳ６０９での決定結果とを、デバイス監視情報テーブル（図１１）に追加する。なお、図１１には、本発明の説明に必要な情報に特化したデバイス監視情報テーブルが示されており、このテーブルには、デバイス名などの情報は記載されていないが、実際には、各デバイスに関し、製品名やデバイス名などの情報が記載される。
【００６４】
また、デバイス１１７からの監視登録要求の場合、デバイス監視情報テーブル（図１１）には、レコード９０９が追加される。デバイス１２１からの監視登録要求の場合、デバイス監視情報テーブル（図１１）にはレコード９１０が追加される。レコード９１０において、監視装置ＩＤ＝００００００００００との記述は、拠点集中監視装置を介しないことを意味する。デバイス監視情報テーブル（図１１）への登録完了によって、監視センタホスト１０１においては、デバイスからのカウンタ情報やエラー情報を受け付けるための準備が完了したことになる。
【００６５】
監視センタホスト１０１は、ステップＳ６１４において、上記ステップＳ６１３での登録が完了した旨とデバイスが次に何を行うべきかの指示を、デバイスに対して送信する。ここでの指示は、図１のデバイス（画像形成装置）１２１の場合のように、拠点集中監視装置を介せずに監視を直接行うことが決定された場合、カウンタおよびステータスの監視センタホスト１０１への送信開始の指示（または、監視センタホスト１０１からのカウンタおよびステータス要求を待てという指示）である。一方、図１のデバイス（画像形成装置）１１７の場合のように、拠点集中監視装置１１６を介して監視を行うことが決定された場合、上記指示は、拠点集中監視装置１１６からの指示を待てという指示である。
【００６６】
なお、上記シーケンスの別の例として、上記ステップＳ６０５の時点で、上記ステップＳ６１２で送信されるデバイス基本情報を予め送付しておき、ステップＳ６０７，Ｓ６０８，Ｓ６０９の確認および決定処理を行った結果として、ステップＳ６１０の登録確認とステップＳ６１４の登録完了および動作指示を１つにまとめて送信することも可能である。
【００６７】
次に、監視センタホスト１０１のステップＳ６１４における登録完了および動作指示送信以降の、図１のデバイス（画像形成装置）１２１のように拠点集中監視装置を介しないケースと、図１のデバイス（画像形成装置）１１７のように拠点集中監視装置を介するケースとのそれぞれのシーケンスについて説明する。
【００６８】
図１のデバイス（画像形成装置）１２１のように拠点集中監視装置を介しないケースでは、デバイスは、上記ステップＳ６１５において監視センタホスト１０１からの指示を受信後、ステップＳ６１６において、カウンタおよびステータス送信を監視センタホスト１０１に対して開始する、または、監視センタホスト１０１からのカウンタおよびステータス要求を受け付ける。
【００６９】
図１のデバイス（画像形成装置）１１７のように拠点集中監視装置を介する場合、デバイスは、上記ステップＳ６１７において監視センタホスト１０１からの指示を受信後、ステップＳ６１８において、監視センタホスト１０１により決定された拠点集中監視装置（ステップＳ６０９）からの登録完了通知を待つ。一方、監視センタホスト１０１は、ステップＳ６１９において、上記ステップＳ６０９で決定された拠点集中監視装置に対し、上記ステップＳ６１３で登録されたデバイスの基本情報を含むデバイス監視要求を送信する。上記デバイス監視要求を受け取った拠点集中監視装置は、ステップＳ６２０において、監視デバイス情報テーブル（図１３）にデバイスを登録する。ここで、この図１３に示す監視デバイス情報テーブル１２０１は、拠点集中監視装置１１６のＨＤＤ１４０４内に保持されているものである。この監視デバイス情報テーブル１２０１の場合、デバイスＩＤ＝ＱＳＦＧ４４６０６(レコード１２０２に記載)と、デバイスＩＤ＝ＵＵＵＫ５５３１０７（レコード１２０３に記載）の２台のデバイスが既に監視するデバイスとして登録されており、上記ステップＳ６１９での監視登録要求により、デバイス１１７の情報としてレコード１２０４が追加されることになる。
【００７０】
次いで、拠点集中監視装置は、ステップＳ６２１において、上記ステップＳ６２０で新たに追加された監視対象デバイスに対し、登録が完了した旨と、カウンタおよびステータスを拠点集中監視装置に送信しなさいという指示または当該拠点集中監視装置からのカウンタおよびステータス要求に備えなさいという指示を含む登録完了通知を送信する。
【００７１】
上記拠点集中監視装置からの登録完了通知を受信したデバイスは、ステップＳ６２２において、カウンタおよびステータス送信を登録完了通知送信元の拠点集中監視装置に対して開始する、または、登録完了通知送信元の拠点集中監視装置からのカウンタおよびステータス要求を受け付ける。
【００７２】
次に、画像形成装置１０５，１０６，１１０，１１１，１１２，１１３，１１４，１１７，１２１の画像形成装置監視システムへの登録処理について図１４および図１５を参照しながら説明する。図１４は図１の画像形成装置の画像形成装置監視システムへの登録処理の手順を示すフローチャート、図１５は図１の画像形成装置の表示部に表示される画像形成装置監視システムへの参加設定画面の一例を示す図である。本説明において、特段の断りがない限り、画像形成装置は、画像形成装置１０５，１０６，１１０，１１１，１１２，１１３，１１４，１１７，１２１の全てまたはいずれかを指すものとする。
【００７３】
画像形成装置は、表示部２１１に、図１５に示す画像形成装置監視システムへの参加設定画面２００１を表示し、サービスマンまたはユーザによる入力を受け付ける。この参加設定画面２００１上で、「有効」ボタン２００２または「無効」ボタン２００３の押下により、画像形成装置監視システムへの参加の有無が選択される。そして、画像形成装置監視システムへの参加の有無の選択後、「ＯＫ」ボタン２００４が押下されると、その時点で選択されている設定がＨＤＤ２０９に保存される。ここで、「有効」ボタン２００２は、画像形成装置監視システムへ参加することを設定するためのボタンであり、「無効」ボタン２００３は画像形成装置監視システムへ参加しないことを設定するためのボタンである。
【００７４】
画像形成装置の画像形成装置監視システムへの登録処理は、ＲＯＭ２０７またはＨＤＤ２０９に格納されているプログラムに従ってＣＰＵ２０６により実行されるものであり、本処理は、電源がオンされたときまたは図１５に示す参加設定画面での設定が行われたときに開始される。
【００７５】
画像形成装置のＣＰＵ２０６は、図１４に示すように、ステップＳ１００１において、ＨＤＤ２０９から、画像形成装置監視システムへ参加するか否かの設定を読み出し、サービスへ参加するか否かを判定する。ここで、画像形成装置監視システムへ参加しない場合（図１５の画面で「無効」ボタン２００３が選択された場合）、ＣＰＵ２０６は、ステップＳ１０１２において、登録削除要求を送信し、本処理を終了する。ここでの登録削除要求とは、デバイスＩＤを含む要求である。
【００７６】
登録削除要求の方法は、図１４のフローチャートでは省略されているが、３通りある。１つは、登録削除要求先を監視センタホスト１０１のみとし、監視センタホスト１０１においてテーブル９０１からのデバイスＩＤを含む情報の削除を行い、拠点集中監視装置を経由した監視を行っている場合は、監視センタホスト１０１からその画像形成装置の監視を担当している拠点集中監視装置に対して登録削除要求を出し、拠点集中監視装置においてテーブル１２０１から対応する情報を削除する方法である。他の１つは、拠点集中監視装置経由で監視されている場合に限られる方法であるが、登録削除要求先を、本装置を監視する拠点集中監視装置のみとし、拠点集中監視装置においてテーブル１２０１から対応する情報を削除し、拠点集中監視装置から監視センタホスト１０１に対して登録削除要求を出し、監視センタホスト１０１においてテーブル９０１から対応する情報を削除する方法である。さらに他の１つは、登録削除要求先を、監視センタホスト１０１と、拠点集中監視装置を経由して監視されている場合は本装置を監視している拠点集中監視装置の両者とし、監視センタホスト１０１においてテーブル９０１から、拠点集中監視装置においてテーブル１２０１からそれぞれ対応する情報を削除する方法である。
【００７７】
これに対し、上記ステップＳ１００１において画像形成装置監視システムへ参加すると判断された場合（図１５の参加設定画面上で「有効」ボタン２００２が選択された場合）、ＣＰＵ２０６は、ステップＳ１００２において、本装置からアクセス可能な拠点集中監視装置を検索する。ここでの検索の方法は、サブネット内をｐｉｎｇスウィープし、応答があったＩＰアドレスに対し、特定のポート（拠点集中監視装置が独自に使用しているポート）が開いているか否かに応じて、拠点集中監視装置と推定される候補装置を抽出する。ここでは、あくまで拠点集中監視装置の候補装置でよく、最終的には、監視センタホストにおいて、販売情報テーブル７０１および拠点集中監視装置情報テーブル８０１を参照して、抽出された候補装置が拠点集中監視装置であるか否かを判定することが可能である。そして、ＣＰＵ２０６は、ステップＳ１００３において、上記ステップＳ１００２で抽出された拠点集中監視装置候補のＩＰアドレスリストと、本装置を一意に特定するデバイスＩＤを含む監視要求情報２４０１（図１２）を作成し、予め本装置内に保持されている監視センタホスト１０１のアドレスを用いて、この監視要求情報２４０１を監視センタホスト１０１へ送信する。
【００７８】
また、図１のＢ社１１９の場合は、拠点集中監視装置が１台も発見されず、上記監視登録要求情報（図１２）には、拠点集中監視装置候補が０台という情報が含まれることになる。
【００７９】
次いで、ＣＰＵ２０６は、ステップＳ１００４において、監視センタホスト１０１からの登録確認の内容を判断する。ここで、登録が行われなかったと判断した場合は、ＣＰＵ２０６は、本処理を終了する。登録が既に行われているすなわち登録済みと判断した場合、既に監視センタホスト１０１または拠点集中監視装置への情報送信が開始されているので、ＣＰＵ２０６は、本処理は終了する。これに対し、登録が許可されて行われたと判断した場合、ＣＰＵ２０６は、ステップＳ１００５において、デバイス（画像形成装置）自身の基本情報として機種を特定する製品名、ユーザが名付けたデバイス名などを監視センタホスト１０１へ送信し、続くステップＳ１００６において、登録確認通知を待つ。この登録確認通知を受信するまで待ち続ける方法もあるが、適度なタイムアウトを設けて登録失敗と判断する方法もある。
【００８０】
上記登録完了通知を受信すると、ＣＰＵ２０６は、ステップＳ１００７において、登録完了通知に含まれる指示を確認する。ここで、上記指示により、直接監視センタホスト１０１へ監視情報を送信するように指示されている場合、ＣＰＵ２０６は、ステップＳ１００８において、監視センタホスト１０１に対してカウンタやステータス情報などの送信を開始する。そして、ＣＰＵ２０６は、本処理を終了する。
【００８１】
上記ステップＳ１００７において拠点集中監視装置経由と指示されている場合、ＣＰＵ２０６は、ステップＳ１００９において、指示された拠点集中監視装置からの登録完了通知を待つ待ち受け状態へ移行し、続くステップＳ１０１０において、拠点集中監視装置からの登録完了通知を受信したか否かを判定する。ここで、ＣＰＵ２０６は、この登録完了通知を受信するまで待ち受け状態を続行し、登録完了通知を受信すると、ステップＳ１０１１において、指示された拠点集中監視装置に対してカウンタやステータス情報などの送信を開始する。そして、ＣＰＵ２０６は、本処理を終了する。
【００８２】
次に、監視センタホスト１０１が画像形成装置１０５，１０６，１１０，１１１，１１２，１１３，１１４，１１７，１２１からの監視登録要求（図１２）を受信したことにより、開始する処理について図１６を参照しながら説明する。図１６は図１の監視センタホストが画像形成装置からの監視登録要求を受信したことにより開始する処理の手順を示すフローチャートである。この図１６に示す手順は、監視センタホスト１０１のＲＯＭ１６０３、または第１および／または第２ＨＤＤ１６０５，１６０６に格納されているプログラムに従い第１および／または第２ＣＰＵ１６０１，１６０２により実行されるものである。
【００８３】
監視センタホスト１０１が画像形成装置１０５，１０６，１１０，１１１，１１２，１１３，１１４，１１７，１２１からの監視登録要求（図１２）を受信すると、図１６に示すように、第１および／または第２ＣＰＵ１６０１，１６０２は、ステップＳ１００１において、デバイス監視情報テーブル９０１を参照し、監視登録要求元の画像形成装置が既に監視対象として登録されているか否かを判定する。ここで、監視登録要求元の画像形成装置が既に監視対象として登録されている（サービス参加済）と判定した場合、第１および／または第２ＣＰＵ１６０１，１６０２は、ステップＳ１１０２において、監視登録要求元の画像形成装置に対し、監視システムへ参加済み（登録済み）である旨の通知を送信し、本処理を終了する。
【００８４】
これに対し、監視登録要求元の画像形成装置がサービス未参加と判断した場合、第１および／または第２ＣＰＵ１６０１，１６０２は、ステップＳ１１０３において、監視登録要求元の画像形成装置が販売情報テーブル７０１に登録されている画像形成装置であるか否かを判定する。ここで、監視登録要求元の画像形成装置が販売情報テーブル７０１に登録されていなかった場合、第１および／または第２ＣＰＵ１６０１，１６０２は、監視登録要求元の画像形成装置が正規に販売された画像形成装置ではないと判断し、ステップＳ１１０４において、監視登録要求元の画像形成装置に対し、画像形成装置監視システムへの登録不許可（ＮＧ）を通知し、本処理を終了する。
【００８５】
上記ステップＳ１１０３において監視登録要求元の画像形成装置が販売情報テーブル７０１に登録されていると判定された場合、第１および／または第２ＣＰＵ１６０１，１６０２は、ステップＳ１１０５において、監視登録要求元の画像形成装置に対し、登録許可（ＯＫ）を通知する。この登録許可通知に応答して画像形成装置は、デバイス基本情報（初期情報）を返す。第１および／または第２ＣＰＵ１６０１，１６０２は、ステップＳ１１０６において、上記デバイス基本情報を受信し、続くステップ１１０７において、受信したデバイス基本情報をデバイス監視情報テーブル９０１に登録する。
【００８６】
次いで、第１および／または第２ＣＰＵ１６０１，１６０２は、ステップＳ１１０８において、監視登録要求２４０１に拠点集中監視装置のＩＰアドレスリストが含まれているか否かを判定する。また、拠点集中監視装置のＩＰアドレスとして送信されたアドレスが、拠点集中監視装置情報テーブル８０１内に監視視登録要求元の画像形成装置の顧客に対応する拠点集中監視装置として登録されているか否かを判定することによって、当該アドレが実際に正当な拠点集中監視装置のＩＰアドレスであるか否かの確認が行われる。
【００８７】
上記判定の結果、対応する拠点集中監視装置がないと判定された場合、第１および／または第２ＣＰＵ１６０１，１６０２は、ステップＳ１１１３において、監視登録要求元の画像形成装置に対し、登録完了および監視センタホスト１０１へ直接カウンタやステータス情報を送信する（または監視センタホスト１０１からの情報要求に備える）ことを指示するための指示を送信する。
【００８８】
これに対し、上記判定の結果、対応する拠点集中監視装置があると判定された場合、第１および／または第２ＣＰＵ１６０１，１６０２は、ステップＳ１１０９において、デバイス監視情報テーブル９０１を参照し、監視登録要求２４０１のリストに含まれる各拠点集中監視装置がそれぞれ何台の画像形成装置を監視しているかを求め、監視登録要求元の画像形成装置を監視すべき拠点集中監視装置を選定する。選定された拠点集中監視装置の情報は、デバイス監視情報テーブル９０１にも記録される。図１１に示すデバイス監視情報テーブル９０１の例では、画像形成装置１１７（デバイスＩＤ＝ＤＤＤＤ８７３５０８）の追加により、当該画像形成装置１１７を監視する拠点集中監視装置として、拠点集中監視装置１１５（装置ＩＤ＝ＡＢＣＤ１２３４５６）より監視台数が少ない拠点集中監視装置１１６（装置ＩＤ＝ＤＤＤＤ８７３５６７）が選定され、デバイス監視情報テーブル９０１にレコード９０９が追加される。ここでの選定においては、拠点集中監視装置の負荷を分散する目的で、監視台数が少ない拠点集中監視装置が優先的に選定されることとする。また、各拠点集中監視装置の監視可能な台数には上限があり、全ての拠点集中監視装置が上限台数の画像形成装置を既に監視している場合、監視登録要求元の画像形成装置を監視すべき拠点集中監視装置はないと判断される。
【００８９】
次いで、第１および／または第２ＣＰＵ１６０１，１６０２は、ステップＳ１１１０において、適当な拠点集中監視装置が選定されたか否かを判定する。ここで、監視登録要求元の画像形成装置を監視すべき拠点集中監視装置がない場合、第１および／または第２ＣＰＵ１６０１，１６０２は、監視センタホスト１０１から直接監視登録要求元の画像形成装置を監視するように設定した後に、ステップＳ１１１３において、監視登録要求元の画像形成装置に対し、登録完了および監視センタホスト１０１へ直接カウンタやステータス情報を送信する（または監視センタホスト１０１からの情報要求に備える）ことを指示するための指示を送信する。
【００９０】
上記ステップＳ１１１０において監視登録要求元の画像形成装置を監視すべき拠点集中監視装置があると判定された場合、第１および／または第２ＣＰＵ１６０１，１６０２は、ステップＳ１１１１において、監視登録要求元の画像形成装置に対し、登録完了および上記ステップＳ１１０９で選定された拠点集中監視装置からの登録完了通知を待つように指示を送信する。次いで、第１および／または第２ＣＰＵ１６０１，１６０２は、ステップＳ１１１２において、選定された拠点集中監視装置に対し、監視対象として登録された画像形成装置の情報と共に、登録要求を送信する。
【００９１】
なお、図１４のステップＳ１０１２で説明したように、監視センタホスト１０１に対しては、画像形成装置または拠点集中監視装置から画像形成装置の登録削除要求が送信される。監視センタホスト１０１の上記登録削除要求に対する処理は、上記ステップＳ１０１２と同様の処理であるので、ここでは、その説明とともに、図１６のフローチャート上の記載も省略されている。
【００９２】
また、図１３のＡ社Ｙ事業所１０９の拠点集中監視装置１１６のデバイス監視情報テーブル１２０１は、拠点集中監視装置１１６が画像形成装置１１３(レコード１２０２)、画像形成装置１１４（レコード１２０３）を監視している状態に対して、監視センタホスト１０１からの上記ステップＳ１１１２により画像形成装置１１７の情報（レコード１２０４）が追加された状態を示している。
【００９３】
次に、監視センタホスト１０１から画像形成装置の登録要求を受けたことにより開始される拠点集中監視装置の処理について図１７を参照しながら説明する。図１７は監視センタホストから画像形成装置の登録要求を受けたことにより開始される拠点集中監視装置の処理の手順を示すフローチャートである。この図１７に示す手順は、拠点監視装置のＲＯＭ１４０２またはＨＤＤ１４０４に格納されているプログラムに従ってＣＰＵ１４０１により実行されるものである。
【００９４】
拠点集中監視装置が監視センタホスト１０１から画像形成装置の登録要求を受け取ると、図１７に示すように、ＣＰＵ１４０１は、ステップＳ１３０１において、監視センタホスト１０１からの監視指示（ステップＳ１１１２）を受け取り、監視対象とする画像形成装置の情報をデバイス監視情報テーブル１２０１に追加する。次いで、ＣＰＵ１４０１は、ステップＳ１３０２において、新たに監視対象となる画像形成装置に対し、登録完了および本拠点集中監視装置へカウンタやステータス情報を送信する（または本拠点集中監視装置からの情報要求に備える）ように指示を送信する。そして、ＣＰＵ１４０１は、本処理を終了する。
【００９５】
なお、図１４のステップＳ１０１２で説明したように、拠点集中監視装置に対して、画像形成装置または監視センタホストから、画像形成装置の登録削除要求も送信される。拠点集中監視装置の上記登録削除要求に対する処理は、上記ステップＳ１０１２と同様の処理であり、ここでは、その説明とともに、フローチャート上の記載も省略されている。
【００９６】
以上より、本実施の形態によれば、画像形成装置が画像形成装置監視システムへ参加する際に、販売会社側（監視センタホスト１０１側）および顧客側（画像形成装置側）双方で、画像形成装置監視システムへの参加のための特別な設置作業を行う必要がなく、また、画像形成装置の設置と監視の開始が同期していない場合でも、顧客先へのサービスマン派遣、監視センタ側でのオペレータ操作が不要になる。
【００９７】
また、拠点集中監視装置を経由した監視形態と、監視センタホスト１０１から画像形成装置を直接監視する監視形態が混在した環境においても、いずれの監視形態を採るか、どの拠点集中監視装置に画像形成装置を監視させるかが自動的に決定され、監視センタホスト１０１、拠点集中監視装置および画像形成装置の設定が自動的に行なわれるので、監視センタホスト１０１、拠点集中監視装置および画像形成装置での画像形成装置監視システムへの参加のための人的なオペレーションを行う必要がない。
【００９８】
よって、販売会社側（主監視装置側）および顧客側（画像形成装置側）の双方に余分な作業負担を掛けることなく、画像形成装置監視システムへの参加を容易にすることができる。
【００９９】
さらに、画像形成装置が通信可能な拠点集中監視装置を検索するため、図１のＡ社のようにＸ事業所１０４、Ｙ事業所１０９に分かれている顧客についても、監視センタホスト１０１側ではどの事業所に画像形成装置および拠点集中監視装置が存在するかまでは把握する必要がなく、監視センタホスト１０１での販売情報の入力が簡略化されるとともに、画像形成装置の設置の自由度（どこの事業所に設置するかは顧客が決めればよく、監視センタホスト１０１への通知も不要）を向上させることができる。
【０１００】
（第２の実施の形態）
次に、本発明の第２の実施の形態について図１８〜図２４を参照しながら説明する。図１８は本発明の第２の実施の形態における画像形成装置の画像形成装置監視システムに関わるソフトウェア構成図、図１９は本発明の第２の実施の形態における拠点集中監視装置のハードウェア構成図、図２０は本発明の第２の実施の形態における拠点集中監視装置の画像形成装置監視システムに関わるソフトウェア構成図、図２１は本発明の第２の実施の形態における監視センタホストの画像形成装置監視システムに関わるソフトウェア構成図、図２２は本発明の第２の実施の形態における画像形成装置の画像形成装置監視システムへの登録処理の手順を示すフローチャート、図２３は本発明の第２の実施の形態における監視センタホストが画像形成装置からの監視登録要求を受信したことにより開始される処理の手順を示すフローチャート、図２４は監視センタホストから画像形成装置の登録または削除要求を受けたことにより開始される拠点集中監視装置の処理の手順を示すフローチャートである。
【０１０１】
本実施の形態は、第１の実施の形態と同様のシステム構成を有する。また、監視対象となる画像形成装置１０５，１０６，１１０，１１１，１１２，１１３，１１４，１１７，１２１のハードウェア構成は、図２に示す構成と同じ構成を有する。さらに、監視センタホスト１０１のハードウェア構成は、図６に示す構成と同じ構成を有する。さらに、顧客の画像形成装置購入から、画像形成装置が画像形成装置監視システムの監視対象となるまでのシーケンスも、図８に示すシーケンスと同様である。よって、本実施の形態においては、上記第１の実施の形態と異なる構成、機能または手順についてのみを説明する。また、上記第１の実施の形態と同一の装置、機能ブロックには、同一の符号を用いるものとする。
【０１０２】
本実施の形態における画像形成装置１０５、１０６、１１０、１１１、１１２、１１３、１１４、１１７、１２１の画像形成装置監視システムに関わるソフトウェア構成に関しては、図１８に示すように、メール通信部１７０１、メール作成部１７０２、メール解析部１７０３、ネットワーク情報取得部１７０４、およびデバイス情報収集部１７０５が設けられている。メール通信部１７０１は、監視センタホスト１０１および拠点集中監視装置１０７，１１５，１１６からＮｅｔｗｏｒｋＩ／Ｆ２０５を介して受信したメールデータをメール解析部１７０３に渡し、また、メール作成部１７０２により作成されたメールデータをＮｅｔｗｏｒｋＩ／Ｆ２０５を介して監視センタホスト１０１および拠点集中監視装置１０７，１１５，１１６に送信する。
【０１０３】
ネットワーク情報取得部１７０４は、ＤＨＣＰ環境においてはＩＰアドレス、ＤＮＳサーバ、ゲートウェイアドレスを自動的に取得することが可能である。また、ネットワーク情報取得部１７０４は、操作部２１０から入力されてＨＤＤ２０９に保存されたネットワーク情報が存在する場合は、その情報を取得する。
【０１０４】
デバイス情報収集部１７０５は、本画像形成装置内部のスケジュールにより、または、監視センタホスト１０１または拠点集中監視装置１０７，１１５，１１６からの指示により内部に保持されているカウンタ情報を取得し、また、内部で発生したサービスコールやジャム、トナー切れなどの情報を取得する。取得されたデータについては、そのデータがそのままメール作成部１７０２に渡され、監視センタホスト１０１または拠点集中監視装置１０７，１１５，１１６へ送信される場合と、デバイス情報収集部１７０５内で蓄積、解釈、加工された後にメール作成部１７０２に渡され、監視センタホスト１０１または拠点集中監視装置１０７，１１５，１１６へ送信される場合がある。
【０１０５】
次に、拠点集中監視装置１０７，１１５，１１６のハードウェア構成について図１９を参照しながら説明する。
【０１０６】
拠点集中監視装置１０７，１１５，１１６は、図１９に示すように、本装置上の各処理を司るＣＰＵ１５０１と、本装置の各処理に関わるプログラムやデータを記憶するＲＯＭ１５０２と、本装置の各処理に関わる一時的なデータを保持するＲＡＭ１５０３と、本装置の各処理に関わるデータおよび一時的なデータ、本発明に関わる監視対象画像形成装置に関する情報、および画像形成装置から収集した情報などを記憶するフラッシュＲＯＭ（ＦｌａｓｈＲＯＭ）１５０４と、本装置上のプログラムがエラーやログを出力しており、シリアルケーブルを用いて端末を接続することが可能なシリアルＩ／Ｆ１５０４と、ネットワーク経由でＬＡＮおよびインターネットに接続し、外部と情報交換を行うＮｅｔｗｏｒｋＩ／Ｆ１５０５とを有する。これらのブロックは、システムバス１５０６に接続され、ブロック間のデータのやり取りは、システムバス１５０６を介して行われる。
【０１０７】
次に、拠点集中監視装置１０７，１１５，１１６の画像形成装置監視システムに関わるソフトウェア構成について図２０を参照しながら説明する。
【０１０８】
拠点集中監視装置１０７，１１５，１１６の画像形成装置監視システムに関わるソフトウェア構成に関しては、図２０に示すように、メール通信部１９０１、メール作成部１９０２、メール解析部１９０３、監視制御部１９０４、およびデバイス情報処理部１９０５が設けられている。メール通信部１９０１は、監視センタホスト１０１または画像形成装置１０５，１０６，１１０，１１１，１１２，１１３，１１４，１１７，１２１からＮｅｔｗｏｒｋＩ／Ｆ１５０４を介して受信したメールデータをメール解析部１９０３に渡し、また、メール作成部１９０２により作成されたメールデータをＮｅｔｗｏｒｋＩ／Ｆ１５０４を介して監視センタホスト１０１または画像形成装置１０５，１０６，１１０，１１１，１１２，１１３，１１４，１１７，１２１に送信する。
【０１０９】
監視制御部１５０４は、後述する監視センタホスト１０１からの監視指示に応答して、情報蓄積部１９０６に保持されている監視画像形成装置情報を更新し、画像形成装置１０５，１０６，１１０，１１１，１１２，１１３，１１４，１１７，１２１の情報を取得するためのスケジュール管理を行う。
【０１１０】
デバイス情報処理部１９０５は、監視制御部１９０４により管理するスケジュールにより、監視センタホスト１０１指示により、または本装置自身が積極的に画像形成装置１０５，１０６，１１０，１１１，１１２，１１３，１１４，１１７，１２１から収集されたカウンタ情報、サービスコールやジャム、トナー切れなどの情報を、情報蓄積部１９０６に蓄積する。
【０１１１】
情報蓄積部１９０６に蓄積されたデータについては、そのデータが、デバイス情報処理部１９０５を介してそのままメール作成部１９０２に渡されて監視センタホスト１０１へ送信される場合と、デバイス情報処理部１９０５内で解釈、加工された後にメール作成部１９０２に渡されて監視センタホスト１０１へ送信される場合とがある。
【０１１２】
次に、監視センタホスト１０１の画像形成装置監視システムに関わるソフトウェア構成について図２１を参照しながら説明する。
【０１１３】
監視センタホスト１０１の画像形成装置監視システムに関わるソフトウェア構成に関しては、図２１に示すように、メール通信部１８０１、メール解析部１８０２、メール作成部１８０３、収集情報処理部１８０４、監視制御部１８０５、およびデータベースアクセス部１８０６が設けられている。メール通信部１８０１は、画像形成装置１０５，１０６，１１０，１１１，１１２，１１３，１１４，１１７，１２１、または拠点集中監視装置１０７，１１５，１１６からＮｅｔｗｏｒｋＩ／Ｆ１６０９を介して受信したメールデータをメール解析部１８０２に渡し、また、メール作成部１８０３により作成されたメールデータをＮｅｔｗｏｒｋＩ／Ｆ１６０９を介して画像形成装置１０５，１０６，１１０，１１１，１１２，１１３，１１４，１１７，１２１、または拠点集中監視装置１０７，１１５，１１６に送信する。
【０１１４】
収集情報処理部１８０４は、監視下の画像形成装置１０５，１０６，１１０，１１１，１１２，１１３，１１４，１１７，１２１、または拠点集中監視装置１０７，１１５，１１６から受信した情報をそのまま、または加工し、データベースアクセス部１８０６を介してデータベース１０２に格納する。また、収集情報処理部１８０４は、監視下の画像形成装置１０５，１０６，１１０，１１１，１１２，１１３，１１４，１１７，１２１、または拠点集中監視装置１０７，１１５，１１６から受信した情報およびデータベース１０２に格納されているデータに基づいて、カウンタ情報の集計、エラー情報を担当サービスマンや顧客側管理者へ通知するなど遠隔監視システムに関わる機能を実現する。
【０１１５】
監視制御部１８０５は、画像形成装置１０５，１０６，１１０，１１１，１１２，１１３，１１４，１１７，１２１、および拠点集中監視装置１０７，１１５，１１６の情報を取得するためのスケジュール管理や、監視内容、方法の制御を行う。監視制御部１８０５は、さらに必要に応じて、監視下の画像形成装置１０５，１０６，１１０，１１１，１１２，１１３，１１４，１１７，１２１、または拠点集中監視装置１０７，１１５，１１６へ、メール作成部１８０３、メール通信部１８０１およびＮｅｔｗｏｒｋＩ／Ｆ１６０９を介して、指示を送信する。
【０１１６】
このように、本実施の形態においては、監視センタホスト１０１、画像形成装置１０５，１０６，１１０，１１１，１１２，１１３，１１４，１１７，１２１、または拠点集中監視装置１０７，１１５，１１６との間の通信には、上記第１の実施の形態と異なり、電子メールが用いられる。
【０１１７】
本実施の形態の画像形成装置監視システムは、正規に販売され、ネットワークに接続されている画像形成装置の全てを監視対象としており、画像形成装置は、電源オン時に、必ず画像形成装置監視システムへの登録処理を実行する。この画像形成装置１０５，１０６，１１０，１１１，１１２，１１３，１１４，１１７，１２１の画像形成装置監視システムへの登録処理について図２２を参照しながら説明する。図２２に示す手順は、画像形成装置１０５，１０６，１１０，１１１，１１２，１１３，１１４，１１７，１２１のＲＯＭ２０７またはＨＤＤ２０９に格納されているプログラムに従ってＣＰＵ２０６により実行されるものである。
【０１１８】
画像形成装置の電源がオンされると、図２２に示すように、ＣＰＵ２０６は、ステップＳ２１０１において、本装置からアクセス可能な拠点集中監視装置を検索する。ここでの検索の方法は、サブネット内をｐｉｎｇスウィープし、応答があった場合に作成されるａｒｐキャッシュにより得られるＭＡＣアドレスにより機器のベンダを判断し、拠点集中監視装置であると推定される候補装置を抽出する。ここでは、あくまで候補装置を抽出すればよく、監視センタホスト１０１において、抽出された候補装置が、販売情報テーブル７０１、拠点集中監視装置情報テーブル８０１により拠点集中装置であるか否かを判定することが可能である。
【０１１９】
次いで、ＣＰＵ２０６は、ステップＳ２１０２において、上記ステップＳ２１０１で抽出された拠点集中監視装置候補の１つに対し、ＳＮＭＰプロトコルでＭＩＢ情報の問い合わせを行い、監視センタホストのアドレスを取得する。この問い合わせは、情報を正しく返信してくれる拠点集中監視装置が現れるまで、抽出された拠点集中監視装置候補一つずつに対し行う。その結果、上記ステップＳ２１０１で抽出された拠点集中監視装置候補の全てから情報が得られない場合もある。このとき、ＭＩＢ情報の問い合わせに対して応答しない拠点集中監視装置候補は、拠点集中監視装置ではないと判断し、抽出された候補から除外することも可能である。
【０１２０】
そして、ＣＰＵ２０６は、ステップＳ２１０３において、上記ステップＳ２１０１で抽出された拠点集中監視装置候補のＩＰアドレスと、本装置を一意に特定する情報としてＭＡＣアドレスとを用いて、図１２に示す監視要求情報２４０１を作成し、上記ステップＳ２１０２で抽出された拠点集中監視装置候補から監視センタホストのアドレスが得られた場合はそのアドレスを用い、そうでない場合は予め本装置内に保持されている監視センタホストのアドレスを用いて、監視センタホスト１０１へ送信する。なお、本実施の形態においては、販売情報テーブルが、デバイスＩＤではなく、画像形成装置のＭＡＣアドレスで管理されている。そのため、本実施の形態においては、監視登録要求情報２４０１のＩＤ２４０２には、ＭＡＣアドレスが入る。
【０１２１】
次いで、ＣＰＵ２０６は、ステップＳ２１０４において、監視センタホスト１０１からの登録確認の内容を判断する。ここで、登録不可と判断された場合、ＣＰＵ２０６は、本処理を終了する。また、現状維持すなわち既に監視センタホスト１０１または拠点集中監視装置への情報送信が開始されていると判断された場合、ＣＰＵ２０６は、本処理を終了する。
【０１２２】
これに対し、登録が許可されたと判断された場合、ＣＰＵ２０６は、ステップＳ２１０５において、画像形成装置自身の基本情報（Device初期情報）として機種を特定する製品名、ユーザが名付けたデバイス名などを監視センタホスト１０１へ送信し、続くステップＳ２１０６において、登録完了を示す登録完了通知を受信するのを待つ。そして、登録完了通知を受信すると、ＣＰＵ２０６は、ステップＳ２１０７において、登録完了通知に含まれる指示を確認する。ここで、上記指示により、監視情報を直接監視センタホスト１０１へ送信するように指示された場合、ＣＰＵ２０６は、ステップＳ２１０８において、監視センタホスト１０１に対してカウンタやステータス情報などの送信を開始する。そして、ＣＰＵ２０６は、本処理を終了する。
【０１２３】
これに対し、上記指示により、監視情報を拠点集中監視装置経由で送信するように指示された場合、ＣＰＵ２０６は、ステップＳ２１０９において、指示された拠点集中監視装置からの登録完了通知を待つ待ち受け状態へ移行し、続くステップＳ２１１０において、拠点集中監視装置からの登録完了通知を受信したか否かを判定する。ここで、上記登録完了通知を受信するまでは、上記待ち受け状態が続行され、上記登録完了通知を受信すると、ＣＰＵ２０６は、ステップＳ２１１１において、上記ステップＳ２１０７で指示された拠点集中監視装置に対してカウンタやステータス情報などの送信を開始する。そして、ＣＰＵ２０６は、本処理を終了する。
【０１２４】
次に、監視センタホスト１０１が画像形成装置１０５、１０６、１１０、１１１、１１２、１１３、１１４、１１７、１２１からの監視登録要求（図１２）を受信したことにより開始する処理について図２３を参照しながら説明する。この図２３に示す手順は、監視センタホスト１０１のＲＯＭ１６０３、または第１および／または第２ＨＤＤ１６０５，１６０６に格納されているプログラムに従い第１および／または第２ＣＰＵ１６０１，１６０２により実行されるものである。
【０１２５】
監視センタホスト１０１が画像形成装置１０５、１０６、１１０、１１１、１１２、１１３、１１４、１１７、１２１からの監視登録要求（図１２）を受信すると、図２３に示すように、第１および／または第２ＣＰＵ１６０１，１６０２は、ステップＳ２２０１において、監視登録要求元の画像形成装置が販売情報テーブル７０１に登録されている画像形成装置であるか否かを判定する。ここで、監視登録要求元の画像形成装置が販売情報テーブル７０１に登録されていない場合、第１および／または第２ＣＰＵ１６０１，１６０２は、監視登録要求元の画像形成装置が正規に販売された画像形成装置ではないと判断し、ステップＳ２２０２において、監視登録要求元の画像形成装置に対し、画像形成装置監視システムへの登録不可（ＮＧ）を通知し、本処理を終了する。
【０１２６】
上記ステップＳ２２０１において監視登録要求元の画像形成装置が販売情報テーブル７０１に登録されている画像形成装置であると判定された場合、第１および／または第２ＣＰＵ１６０１，１６０２は、ステップＳ２２０３において、監視登録要求元の画像形成装置に対し、登録許可（ＯＫ）を通知する。これに応答して、監視登録要求元の画像形成装置はデバイス基本情報（初期情報）を監視センタホスト１０１へ送信する。そして、第１および／または第２ＣＰＵ１６０１，１６０２は、ステップＳ２２０４において、監視登録要求元の画像形成装置からのデバイス基本情報（初期情報）を受信する。
【０１２７】
次いで、第１および／または第２ＣＰＵ１６０１，１６０２は、ステップＳ２２０５において、まず監視登録要求元の画像形成装置がデバイス監視情報テーブル９０１に含まれているかを判定し、含まれていない場合は、新規登録と判断する。また、監視登録要求元の画像形成装置がデバイス監視情報テーブル９０１に含まれている場合、第１および／または第２ＣＰＵ１６０１，１６０２は、デバイス監視情報テーブル９０１上でその画像形成装置を監視する拠点集中監視装置が、今回の監視登録要求の拠点集中監視装置候補リストの中に含まれているか否かを調べる。ここでは、監視登録要求に現在監視している拠点集中監視装置が含まれている場合、現状維持と判断される。現在監視している拠点集中監視装置を含まない監視登録要求であった場合、登録の更新が必要と判断される。
【０１２８】
次いで、第１および／または第２ＣＰＵ１６０１，１６０２は、ステップＳ２２０６において、登録の更新（新規登録を含む）が必要であるか否かを判定する。ここで、更新が不要すなわち現状維持である場合、第１および／または第２ＣＰＵ１６０１，１６０２は、ステップＳ２２０７において、監視登録要求元の画像形成装置に対し、本画像形成装置監視システムへ参加済みで、現状の登録状態のままでよい旨の通知を送信し、本処理を終了する。これに対し、登録の更新が必要である場合、第１および／または第２ＣＰＵ１６０１，１６０２は、ステップＳ２２０８において、デバイス監視情報テーブル９０１（図１１）を更新する。ここで、新規登録の場合は、レコードの追加が行われる。登録の更新の場合は、更新対象の画像形成装置を現在監視している拠点集中監視装置に対し、更新対象の画像形成装置の登録削除指示が送信されると共に、更新対象の画像形成装置のレコードの拠点集中監視装置情報「装置ＩＤ」が一旦クリアされる。
【０１２９】
次いで、第１および／または第２ＣＰＵ１６０１，１６０２は、ステップＳ２２０９において、監視登録要求２４０１に拠点集中監視装置のＩＰアドレスリストが含まれているか否かを判定する。また、拠点集中監視装置のＩＰアドレスとして送信されたアドレスが、拠点集中監視装置情報テーブル８０１内に監視視登録要求元の画像形成装置の顧客に対応する拠点集中監視装置として登録されているか否かを判定することによって、当該アドレが実際に正当な拠点集中監視装置のＩＰアドレスであるか否かの確認が行われる。そして、上記判定および確認により、監視登録要求元の画像形成装置を監視すべき拠点集中監視装置があるか否かが判断される。
【０１３０】
ここで、監視登録要求元の画像形成装置を監視すべき拠点集中監視装置がない場合、第１および／または第２ＣＰＵ１６０１，１６０２は、ステップＳ２２１４において、監視登録要求元の画像形成装置に対し、登録完了および監視センタホスト１０１へ直接カウンタやステータス情報を送信する（または監視センタホスト１０１からの情報要求に備える）ように指示を送信する。そして、第１および／または第２ＣＰＵ１６０１，１６０２は、本処理を終了する。
【０１３１】
これに対し、上記ステップＳ２２０９において監視登録要求元の画像形成装置を監視すべき拠点集中監視装置があると判断された場合、第１および／または第２ＣＰＵ１６０１，１６０２は、ステップＳ２２１０において、デバイス監視情報テーブル９０１を参照し、監視登録要求２４０１のリストに含まれる各拠点集中監視装置がそれぞれ監視する画像形成装置の台数を求め、拠点集中監視装置のそれぞれの監視台数に基づいて監視登録要求元の画像形成装置を監視する拠点集中監視装置を選定する。ここで選定された拠点集中監視装置の情報は、デバイス監視情報テーブル９０１にも記録される。この選定においては、拠点集中監視装置の負荷を分散する目的で、監視する画像形成装置の台数が少ない拠点集中監視装置が優先的に選定される。また、各拠点集中監視装置の画像形成装置に対する監視可能な台数には、上限があり、全ての拠点集中監視装置が上限台数の画像形成装置を既に監視している場合、監視登録要求元の画像形成装置を監視させるべき拠点集中監視装置はないと判断される。
【０１３２】
次いで、第１および／または第２ＣＰＵ１６０１，１６０２は、ステップＳ２２１１において、適当な拠点集中監視装置が選定されたか否かを判定する。ここで、適当な拠点集中監視装置がない場合、第１および／または第２ＣＰＵ１６０１，１６０２は、監視登録要求元の画像形成装置を監視センタホスト１０１から直接監視することとし、ステップＳ２２１４において、監視登録要求元の画像形成装置に対し、登録完了および監視センタホスト１０１へ直接カウンタやステータス情報を送信する（または監視センタホスト１０１からの情報要求に備える）ように指示を送信する。そして、第１および／または第２ＣＰＵ１６０１，１６０２は、本処理を終了する。
【０１３３】
これに対し、上記ステップＳ２２１１において監視登録要求元の画像形成装置を監視させるべき拠点集中監視装置があると判定された場合、第１および／または第２ＣＰＵ１６０１，１６０２は、ステップＳ２２１２において、監視登録要求元の画像形成装置に対し、登録完了および上記ステップＳ２２１０で選定された拠点集中監視装置からの登録完了通知を待つように指示を送信する。次いで、第１および／または第２ＣＰＵ１６０１，１６０２は、ステップＳ２２１３において、上記ステップＳ２２１０で選定された拠点集中監視装置に対し、監視登録要求元の画像形成装置の情報と共に、登録要求を送信する。そして、第１および／または第２ＣＰＵ１６０１，１６０２は、本処理を終了する。
【０１３４】
次に、監視センタホスト１０１から、画像形成装置の登録または削除要求を受けたことにより開始される拠点集中監視装置の処理について図２４を参照しながら説明する。この図２４に示す手順は、拠点監視装置のＲＯＭ１４０２またはＨＤＤ１４０４に格納されているプログラムに従ってＣＰＵ１４０１により実行されるものである。
【０１３５】
拠点集中監視装置が監視センタホスト１０１から画像形成装置の登録または削除要求を受けると、図２４に示すように、ＣＰＵ１４０１は、ステップＳ２３０１において、監視センタホスト１０１からの指示（上記ステップＳ２２０８またはステップＳ２２１３）の内容を判別する。ここで、監視センタホスト１０１からの指示が削除要求である場合、ＣＰＵ１４０１は、ステップＳ２３０４において、デバイス監視情報テーブル１２０１から指示された画像形成装置の情報を削除し、本処理を終了する。
【０１３６】
これに対し、監視センタホスト１０１からの指示が登録（追加）要求である場合、ＣＰＵ１４０１は、ステップＳ２３０２において、指示された画像形成装置の情報をデバイス監視情報テーブル１２０１に追加し、続くステップＳ２３０３において、新たに監視対象とされた画像形成装置に対し、登録完了および本拠点集中監視装置へカウンタやステータス情報を送信する（または本拠点集中監視装置からの情報要求に備える）ように指示を送信する。そして、ＣＰＵ１４０１は、本処理を終了する。
【０１３７】
以上より、本実施の形態によれば、画像形成装置が電源ＯＮ時には必ず監視登録要求を監視センタホスト１０１に送信し、この監視登録要求に対し監視センタホスト１０１は、現状の監視形態でよいか否かを判断し、監視形態の変更を画像形成装置および拠点集中監視装置に通知するので、顧客が事業所間で画像形成装置監視システムに参加している画像形成装置を移動した場合にも、自動的に監視形態を変更することが可能になる。これにより、従来のように、画像形成装置のサービスマンに連絡し、監視センタホスト、拠点集中監視装置および画像形成装置に対して行われていた人的な設定作業が不要となり、余分な設定作業を行うことなく、顧客は、自由に事業所間で画像形成装置を移動することができる。
【０１３８】
なお、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることはいうまでもない。この場合、記憶媒体から読み出されたプログラムコード自体が前述した実施形態の機能を実現することになり、そのプログラムコードを記憶した記憶媒体は本発明を構成することになる。
【０１３９】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードを、ネットワークを介してダウンロードしてもよい。
【０１４０】
また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることはいうまでもない。
【０１４１】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることはいうまでもない。
【図面の簡単な説明】
【０１４２】
【図１】本発明の第１の実施の形態に係る画像形成装置監視システムの全体構成を模式的に示すブロック図である。
【図２】図１の画像形成装置のハードウェア構成図である。
【図３】図１の画像形成装置における画像形成装置監視システムに関わるソフトウェア構成図である。
【図４】図１の拠点集中監視装置のハードウェア構成図である。
【図５】図１の拠点集中監視装置の画像形成装置監視システムに関わるソフトウェア構成図である。
【図６】図１の監視センタホストのハードウェア構成図である。
【図７】図１の監視センタホストの画像形成装置監視システムに関わるソフトウェア構成図である。
【図８】画像形成装置の販売から画像形成装置監視システムへの参加（サービス開始）までのシーケンスを示す図である。
【図９】図１のデータベースに保持されているデバイス販売情報テーブルの一例を示す図である。
【図１０】図１のデータベースに保持されている画像形成装置監視システム用の拠点集中監視装置情報テーブルの一例を示す図である。
【図１１】図１のデータベースに保持されている画像形成装置監視システム用のデバイス監視情報テーブルを示す図である。
【図１２】図８のステップＳ６０６において画像形成装置が監視センタホストへ送信する監視登録要求情報を示す図である。
【図１３】図１の拠点集中監視装置１１６が保持する監視デバイス情報テーブル１２０１を示す図である。
【図１４】図１の画像形成装置の画像形成装置監視システムへの登録処理の手順を示すフローチャートである。
【図１５】図１の画像形成装置の表示部に表示される画像形成装置監視システムへの参加設定画面の一例を示す図である。
【図１６】図１の監視センタホストが画像形成装置からの監視登録要求を受信したことにより開始する処理の手順を示すフローチャートである。
【図１７】監視センタホストから画像形成装置の登録要求を受けたことにより開始される拠点集中監視装置の処理の手順を示すフローチャートである。
【図１８】本発明の第２の実施の形態における画像形成装置の画像形成装置監視システムに関わるソフトウェア構成図である。
【図１９】本発明の第２の実施の形態における拠点集中監視装置のハードウェア構成図である。
【図２０】本発明の第２の実施の形態における拠点集中監視装置の画像形成装置監視システムに関わるソフトウェア構成図である。
【図２１】本発明の第２の実施の形態における監視センタホストの画像形成装置監視システムに関わるソフトウェア構成図である。
【図２２】本発明の第２の実施の形態における画像形成装置の画像形成装置監視システムへの登録処理の手順を示すフローチャートである。
【図２３】本発明の第２の実施の形態における監視センタホストが画像形成装置からの監視登録要求を受信したことにより開始される処理の手順を示すフローチャートである。
【図２４】監視センタホストから画像形成装置の登録または削除要求を受けたことにより開始される拠点集中監視装置の処理の手順を示すフローチャートである。
【符号の説明】
【０１４３】
１０１  監視センタホスト
１０２  データベース
１０３，１０８，１１８，１２０  ＬＡＮ
１０５，１０６，１１０，１１１，１１２，１１３，１１４，１１７，１２１  画像形成装置
１０７，１１５，１１６  拠点集中監視装置
２０６，１４０１，１５０１  ＣＰＵ
２０７，１４０２，１５０２  ＲＯＭ
２０９，１４０４  ＨＤＤ
１５０３  フラッシュＲＯＭ
１６０１  第１ＣＰＵ
１６０２  第２ＣＰＵ
１６０５  第１ＨＤＤ
１６０６  第２ＨＤＤ
【図１】
2005354516.tif 000003
【図２】
2005354516.tif 000004
【図３】
2005354516.tif 000005
【図４】
2005354516.tif 000006
【図５】
2005354516.tif 000007
【図６】
2005354516.tif 000008
【図７】
2005354516.tif 000009
【図８】
2005354516.tif 000010
【図９】
2005354516.tif 000011
【図１０】
2005354516.tif 000012
【図１１】
2005354516.tif 000013
【図１２】
2005354516.tif 000014
【図１３】
2005354516.tif 000015
【図１４】
2005354516.tif 000016
【図１５】
2005354516.tif 000017
【図１６】
2005354516.tif 000018
【図１７】
2005354516.tif 000019
【図１８】
2005354516.tif 000020
【図１９】
2005354516.tif 000021
【図２０】
2005354516.tif 000022
【図２１】
2005354516.tif 000023
【図２２】
2005354516.tif 000024
【図２３】
2005354516.tif 000025
【図２４】
2005354516.tif 000026